【事件の表示】
　平成１０年特許願第２８３５７７号「中間光源形成型面光源装置」拒絶査定不服審判事件〔平成１２年　４月　７日出願公開、特開２０００−１００２３１〕について、次のとおり審決する。
【結　論】
　本件審判の請求は、成り立たない。
【理　由】
１．手続きの経緯・本願発明 
　本願は、平成１０年９月２１日の出願であって、その請求項１に係る発明（以下「本願発明」という。）は、平成２１年１２月２８日付の手続補正書によって補正された明細書および図面の記載からみて、本願の特許請求の範囲の請求項１に記載された次の事項により特定されるとおりのものと認める。
　
「【請求項１】　光供給器と、中間光源形成器と、照明光出力器を含む中間光源形成型面光源装置であって、
　前記中間光源形成器は、端部から前記光供給器による光供給を受けて平坦な中間出射面から光出射を行う棒状中間光源を形成し、
　前記棒状中間光源から前記照明光出力器に光供給がなされ、
　前記照明光出力器は、入射端面と出射面とを備えた導光プレートを含み、
　前記入射端面は、多数のプリズム突起を形成したプリズム面を提供しており、
　前記棒状中間光源は、前記平坦な中間出射面が前記入射端面に対向するように、前記入射端面に沿って形成され、且つ、
　前記中間光源形成器の出力光が前記導光プレートの内部へ導入される前に、優先伝播方向の修正が行なわれ、
　該修正は、前記光供給器による光供給を受けた端部から遠ざかるように傾斜して前記棒状中間光源の前記平坦な中間出射面から出射させた光の進行方向を、前記プリズム面により、前記導光プレートの延在平面に平行な面内において、前記導光プレートの前記入射端面の延在する方向に垂直な方向に近付けるように行われ、更に、
　前記中間光源形成器は前記棒状中間光源を形成するための導光ブロックを含み、
　該導光ブロックは光散乱導光体からなるとともに前記平坦な中間出射面を提供していることを特徴とする、前記中間光源形成型面光源装置。」
　
２．引用刊行物記載の発明 
　
（２−１）これに対して、当審における、平成２２年１月１５日付で通知した拒絶の理由に引用した特開平９−１２０００７号公報（平成９年５月６日公開、以下「引用例１」という。）には、「発光装置」に関する発明が開示されており、そこには、図面とともに次の事項が記載されている。 
　
・「【００１１】
【発明の実施の形態】以下、本発明を図面に示す実施形態に基づいて具体的に説明する。図１は本発明に係る発光装置の一例を示す斜視図である。
【００１２】図中１は、液晶ディスプレイ装置などのバックライトとして使用される発光装置であって、光源２から照射された光を光伝送用ロッド３に入射させて、当該ロッド３を線状に発光させた後、これを導光板４の受光面となる片側端面４ａから入射させて、その板面４ｂの全面を発光させるようになされている。そして、光源２は例えばハロゲンランプ５とその光を反射させて一方向に集光する反射鏡６とからなり、その焦点には光ファイバを束ねたライトガイド７の入射端７ａが対向して配設されると共に、その出射端７ｂが前記光伝送用ロッド３の片端面に形成された受光面８に対向して配設されている。
【００１３】光伝送用ロッド３は、片端面が受光面８に形成されると共に、他端面には前記受光面８から入射された光が漏洩しないようにミラー面９が形成されている。前記受光面８からミラー面９に至る外周面には、受光面８から入射された光を乱反射させて光伝送用ロッド３を線状に発光させる反射面１０が、その長手方向に沿って背面側に形成され、反射面１０で反射された光が発光面１１となる正面から入射方向と直交する方向に照射されるようになされている。
【００１４】また、この光伝送用ロッド３は、例えば石英ガラス，アクリル樹脂，その他任意の透明材料で断面円形に形成された棒状体１２から、受光面８が略完全な円形となり、ミラー面９が半円形となるように研磨して形成して反射面１０を形成している。当該反射面１０は、受光面８となる光伝送用ロッド３の一端側から他端側に向かって徐々に幅広になるなるように略三角形の平面に形成されると共に、受光面８から入射される光の光軸と所定の角度で交差するように発光面１１側に傾斜したテーパ面で形成されている。また、反射面１０はその表面が砂地状に荒らされて、受光面８から入射した光が乱反射するようになされている。
【００１５】導光板４には、受光面となる片側端面４ａから入射された光を板面４ｂに向けて乱反射させる反射面１３が形成されている。この反射面１３は、前記端縁４ａから入射される光を板面４ｂ側に向けて乱反射させるように、その光の光軸と所定の角度で交差するように板厚方向に傾斜したテーパ面で形成されている。」
　
・「【００２１】なお、光伝送用ロッド３としては、図２（ａ）に示すように断面四角形の棒状体３１を、一端側の受光面８が縦長の長方形に、他端側のミラー面９が横長の長方形になるように研磨して、反射面１０を形成したものや、図２（ｂ）に示すように断面扇形の棒状体３２を、一端側の受光面８が略扇形に、他端側のミラー面９が半円形になるように研磨して、反射面１０を形成したものや、図２（ｃ）に示すように断面五角形の棒状体３３を、一端側の受光面８が略五角形に、他端側のミラー面９が横長の長方形になるように研磨して、反射面１０を形成したものなど任意の形状を採用し得る。この場合、いずれも反射面１０はテーパ面に形成され、且つ、受光面８から離れるに従って幅広になる。また、光分布の均一性が厳密に要求されない場合は、図３（ａ）に示すように、例えば、幅が一定の断面四角形の棒状体４１から反射面１０となる底面を斜めに研磨したり、図３（ｂ）に示すように、断面略蒲鉾形の棒状体４２から反射面１０となる底面を斜めに研磨する場合であってもよい。」
　
・また、図１には、光伝送用ロッド３は、発光面１１が、導光板４の受光面となる片側端面４ａに対向するように、片側端面４ａに沿って形成されていることが記載されている。
　
　これらの記載事項によると、引用例１には、
　
「光源２から照射された光を光伝送用ロッド３に入射させて、当該ロッド３を線状に発光させた後、これを導光板４の受光面となる片側端面４ａから入射させて、その板面４ｂの全面を発光させる発光装置であって、光伝送用ロッド３は、透明材料で形成された断面四角形の棒状体３１で、片端面が受光面８に形成され、その長手方向に沿って背面側に形成された反射面１０で反射された光が発光面１１となる正面から入射方向と直交する方向に照射されるようになされており、発光面１１が、導光板４の受光面となる片側端面４ａに対向するように、片側端面４ａに沿って形成されている発光装置。」の発明（以下「引用例１記載の発明」という。）が記載されていると認められる。
　
（２−２）同じく、当審における拒絶の理由に引用した特開平９−１４５９３４号公報（平成９年６月６日公開、以下「引用例２」という。）には、「照明装置」に関する発明が開示されており、そこには、図面とともに次の事項が記載されている。 
　
・「【００１２】
【発明の実施の形態】本発明の実施の形態の一例について説明すると、図１において、断面Ｕ字形の反射板４で囲まれた冷陰極管からなるランプ３に一端面を対向させている導光板１は光透過率の高い透明アクリル樹脂からなるもので、その裏面側にはドットパターンの印刷や一体成形などによって拡散反射部２が設けられている。またランプ３との対向面となる導光板１の上記一端面は凹凸面５とされている。ここにおける凹凸面５は、ランプ３の長手方向に断面が正三角形状の凹凸が並ぶことによって形成されているが、断面形状は図２に示すようなものであってもよく、また稜線が図３に示すように導光板１の厚み方向に平行でなくともよい。ただし、稜線がランプ３の長手方向と平行とならないようにしておく。
【００１３】ランプ３から出て導光板１の上記一端面（入射端面）に向かう光は、空気の屈折率と導光板１の屈折率とで定まる全反射角（空気からアクリル樹脂に光が入る場合には図１４にも示すように通常８２°）より大きい角度になると、導光板１に入射する光の量よりも反射してしまう光の量が多くなるが、平坦面である場合には導光板１に対する入射角度が全反射角を越える場合においても、上記のように凹凸面５を設けてあると全反射角以下となるために、全反射によるところの入射ロスが大きく低減される。特に、ランプ３の長手方向に断面が三角形状の凹凸が並ぶものにおいては、ランプ３の長手方向における上記ロスの低減に効果的である。」
　
（２−３）同じく、当審における拒絶の理由に引用した国際公開第９３／６５０９号パンフレット（１９９３年４月１日公開、以下「引用例３」という。）には、「光散乱導光体とその製造方法及び応用光学装置」に関する発明が開示されており、そこには、図面とともに次の事項が記載されている。
・「本発明は、光を導光しつつ散乱光を周囲に向けて照射し得る光散乱導光体とその製造方法、ならびに該光散乱導光体を用いた応用光学装置に関する。
　更に詳しく言えば、本発明は、有機材料の重合過程で生じる不均一構造を利用して、相対的に小断面積の入射光束を高い効率と均一度を以て相対的に大面積の出射光束に変換することの出来る光散乱導光体とその製造方法、ならびに該光散乱導光体の特性を有効に利用した光源装置、照明装置、光分岐装置等の応用光学装置に関するものである。」（第−１−頁第４〜１３行）
　
・「図面の簡単な説明
　図１は、棒状の光散乱導光体の斜視図、」（第−１８−頁第６、７行）
　
３．対比 
　本願発明と引用例１記載の発明を対比すると、後者における「光源」は、前者における「光供給器」に相当する。
　また、後者における断面四角形の棒状体の「光伝送用ロッド」は、「片端面が受光面に形成され、その長手方向に沿って背面側に形成された反射面で反射された光が発光面となる正面から入射方向と直交する方向に照射されるようになされて」いるので、前者における「端部から光供給器による光供給を受けて平坦な中間出射面から光出射を行う棒状中間光源」に相当する構成を形成しているといえ、後者における該「光伝送用ロッド」は、前者における「棒状中間光源を形成するための導光ブロック」、およびこれを含む「中間光源形成器」に相当するといえる。
　また、後者における「導光板」は、「受光面となる片側端面」、「全面を発光させる板面」を有しているが、これら「導光板」、「受光面となる片側端面」、「全面を発光させる板面」は、それぞれ前者における「導光プレート」、「入射端面」、「出射面」に相当するといえる、と同時に、後者における該「導光板」は、前者における「入射端面と出射面とを備えた導光プレートを含」む「照明光出力器」にも相当するといえる。
　また、後者においては、「光伝送用ロッドを線状に発光させた後、これを導光板の受光面となる片側端面から入射させて」いるので、前者における「棒状中間光源から照明光出力器に光供給がなされ」という構成に相当する構成を有しているといえる。
　また、後者において「発光面が、導光板の受光面となる片側端面に対向するように、片側端面に沿って形成されている」ことは、前者において、「棒状中間光源は、平坦な中間出射面が入射端面に対向するように、入射端面に沿って形成され」ていることに相当する。
　また、後者における「発光装置」は、前者における「中間光源形成型面光源装置」に相当する。
　
　したがって、両者は、
「　光供給器と、中間光源形成器と、照明光出力器を含む中間光源形成型面光源装置であって、前記中間光源形成器は、端部から前記光供給器による光供給を受けて平坦な中間出射面から光出射を行う棒状中間光源を形成し、前記棒状中間光源から前記照明光出力器に光供給がなされ、前記照明光出力器は、入射端面と出射面とを備えた導光プレートを含み、前記棒状中間光源は、前記平坦な中間出射面が前記入射端面に対向するように、前記入射端面に沿って形成され、且つ、前記中間光源形成器は前記棒状中間光源を形成するための導光ブロックを含む、中間光源形成型面光源装置。」である点で一致し、次の各点において相違する。
　
［相違点１］
　本願発明においては、「入射端面は、多数のプリズム突起を形成したプリズム面を提供して」おり、「中間光源形成器の出力光が導光プレートの内部へ導入される前に、優先伝播方向の修正が行なわれ、該修正は、光供給器による光供給を受けた端部から遠ざかるように傾斜して棒状中間光源の平坦な中間出射面から出射させた光の進行方向を、プリズム面により、導光プレートの延在平面に平行な面内において、導光プレートの入射端面の延在する方向に垂直な方向に近付けるように行われ」るのに対し、引用例１記載の発明においては、そのように構成されていない点。
　
［相違点２］
　「導光ブロック」について、本願発明においては、「光散乱導光体からなる」のに対し、引用例１記載の発明においては、「透明材料」で形成されている点。
　
４．判断 
　上記相違点１について検討すると、引用例２には、光源として、棒状光源である「冷陰極管からなるランプ」を採用した、導光板を用いた照明装置において、ランプとの対向面となる導光板の一端面を、ランプの長手方向に断面が正三角形状の凹凸面とすることにより、平坦面である場合には導光板に対する入射角度が全反射角を越える場合においても、凹凸面を設けてあると全反射角以下となるために、全反射によるところの入射ロスが大きく低減できることが記載されており、引用例１記載の発明において、「導光板」の「受光面となる片側端面」をプリズム面とし、相違点１に係る構成とすることは、該引用例２の記載に基づいて、当業者が容易に想到し得ることにすぎない。
　
　相違点２について検討すると、引用例３には、光を周囲に向けて照射する棒状の導光体を、光散乱導光体で形成することが記載されており、引用例１記載の発明において、「光伝送用ロッド」を光散乱導光体で形成することは、当業者にとって容易に想到し得ることにすぎない。
　
　そして、本願発明の構成によってもたらされる効果も、引用例１記載の発明、引用例２、３の記載から当業者が予測し得る程度のものである。
　
５．むすび 
　したがって、本願発明は、引用例１記載の発明、引用例２．３の記載に基づいて当業者が容易に発明をすることができたものであるので、特許法第２９条第２項の規定により特許を受けることができない。
　よって、結論のとおり審決する。